(57)【要約】      （修正有）【課題】ランドセルを背負ったときに隙間ができるのを防止し、片あたりによる疲れを軽減するランドセル用背負いベルトを提供する。【解決手段】幅広に形成した幅広部２５の下方に形成した長さ調節部を一体に形成したベルト芯材２４の幅広部２５の幅方向両端に、異径に形成した端面パット部２７、２８を設け、幅広部２５の下面に下面パット部３０を接着し、下面パット部と両端面パット部２７、２８を下側から上面側にカバー部材３１で被覆し、カバー部材の長手方向両端に設けた糊代部３２をベルト芯材２４の表面側に折り返して接着する。長さ調整部の裏面に可撓性を有する裏面板を被覆し、ベルト芯材２４と略同形に形成した皮革材からなる表面板３５をベルト芯材２４の上面に接着し、重合させた表面板３５と糊代部３２とベルト芯材２４と裏面板の周縁部分を縫糸で一体に縫着する。【選択図】図６
0003160939.tif 000002
【実用新案登録請求の範囲】
【請求項１】
幅広部（２５、４５）の下方に細幅に形成した長さ調節部（２６）を一体に形成したベルト芯材（２４、４４）の前記幅広部の幅方向両端に、クッション機能を有する端面パット部（２７、４７）、（２８、４８）を設け、前記幅広部（２５、４５）の下面にクッション機能を有する下面パット部（３０，３０ａ）を設け、該下面パット部と両端面パット部（２７、４７）、（２８、４８）を柔軟性を有するカバー部材（３１）で下側から上面側に被覆し、該カバー部材の長手方向両端に設けた糊代部（３２）を前記ベルト芯材（２４、４４）の表面側に折り返して接着し、前記長さ調整部（２６）の裏面を可撓性を有する裏面板（３３）で被覆し、前記ベルト芯材（２４）と略同形に形成した皮革材からなる表面板（３５）を前記ベルト芯材（２４、４４）の上面に接着させてそれぞれ重合した表面板（３５）と糊代部（３２）とベルト芯材（２４、４４）と裏面板（３３）の周縁部分を縫糸（３７）で一体に縫着してなることを特徴とするランドセル用背負ベルト。
【請求項２】
前記ベルト芯材（２４）に設けた幅広部（２５）の幅方向の一端（学童の首側）に小径で円柱状に形成した端面パット部（２７）を取付け、他端（学童の肩側）に大径で円柱状に形成した端面パット部（２８）を取付けてなることを特徴とする請求項1記載のランドセル用背負ベルト。
【請求項３】
前記ベルト芯材（２４）の幅広部（２５）の下面に、下面を円弧状に形成したスポンジ材からなるクッション機能を有する下面パット部（３０）を取付けてなることを特徴とする請求項1記載のランドセル用背負ベルト。
【請求項４】
前記ベルト芯材（２４）の幅広部（２５）の下面に、下面を円弧状に形成したスポンジ材からなる下面パット部（３０）を取付け、前記ベルト芯材の幅広部（２５）の上面に、上面を円弧状に形成したスポンジ材からなるクッション機能を有する上面パット部（４０）を取付けてなることを特徴とする請求項1記載のランドセル用背負ベルト。
【請求項５】
前記ベルト芯材（４４）に設けた幅広部（４５）の幅方向の一端（学童の首側）に小径で円柱状に形成した端面パット部（４７）を、また他端（学童の肩側）に大径で円柱状に形成した端面パット部（４８）を、それぞれ該ベルト芯材（４４）と同一素材で一体に設けてなることを特徴とする請求項1記載のランドセル用背負ベルト。
【請求項６】
前記ベルト芯材（４４）の幅広部（４５）の下面に、下面を円弧状に形成した下面パット部（３０ａ）を該ベルト芯材と同一素材で一体に設けてなることを特徴とする請求項1記載のランドセル用背負ベルト。
【請求項７】
前記ベルト芯材（４４）の幅広部（４５）の上面に、上面を円弧状に形成した上面パット部（４０ａ）を該ベルト芯材と同一素材で一体に設けてなることを特徴とする請求項1記載のランドセル用背負ベルト。
【考案の詳細な説明】
【技術分野】
【０００１】
本考案は、ランドセルに取付ける背負ベルトの改良に関する。
【背景技術】
【０００２】
ランドセルは、通常、一年生の６歳児から６年生の１２歳児まで同じ大きさのものを使用する。そのため、教科書やノートまたは教材などを収容して重くなったランドセルを低学年の学童が背負った場合、ランドセルの重量が学童の小さな肩に集中してかなりの負担となる。そのためランドセルの背負ベルトは、低学年の学童の負担にならないように、肩に当たる部分（肩当部）を肩の形状に合わせて傾斜させて形成すると共に幅を広くして負担を軽減させ、且つ、該肩ベルトの内部にクッション材を装着させることにより負担を軽減させている。
【０００３】
また、背負ベルトの構成は、芯材の裏面にスポンジ材からなるクッション性を有するパット部を接着し、該パット部の外側を軟質の皮革又は合成皮革などで形成した裏面部材で前記芯材の下面と両側から上面まで包み込んで被覆し、該裏面部材の折返片を芯材の上面に接着させ、この折返片および芯材の上面部に硬質の皮革又は合成皮革などより形成した表面板を接着し、さらに、長尺な背負ベルトの下半分の裏面に、硬質の皮革又は合成皮革などからなる裏面板を接着させて重合し、前記表面板、芯材および折返片、裏面板の周縁部分に沿って縫糸で縫着して背負ベルトを形成してある（特許文献１）。
【０００４】
後者の背負ベルトは、内部にクッション材よりなる芯材を裏面板で被覆し、この裏面板の両端部分を端部片で芯材の両側部を包み込んで上面両側に折り曲げる。次いで、二つ折りに形成した反射帯の基部を前記端部片と、該端部片上に位置させる表面板との間に介在させ、該反射帯の先端部分を前記裏面板の両側部から外方に突出させてベルトの略全長にわたって前方及び側面方向に対して目立つように設けてある。
【０００５】
さらに、該反射帯の基部の上面に表面板を接着して表面板及び裏面板を重合させ、その両側部分をベルトの周縁部に沿って一体に縫着して背負ベルトを形成してある（特許文献２）。
【特許文献１】実開昭５５−１２５１１７号公報
【特許文献２】特開平８−２２０９９５号公報
【考案の開示】
【考案が解決しようとする課題】
【０００６】
しかし、使い始めの新しいランドセルは、図１３に示すごとく、皮革または合成皮革材で形成した背負ベルト５０の表面板は硬いので、ランドセルを背負ったとき背負ベルトの肩当部５１の内側（首側）だけが肩に当たりやすく、また、なで肩の場合には背負ベルトの外側（肩側）が肩から離れて隙間Ｙができやすい。隙間Ｙができると、ランドセルの重量が背負ベルトの肩当部全体で均一に学童の肩にフィットしないで、肩当部の内側（首側）部分の狭い部分が肩に当たるため疲れやすく、低学年の学童にとって身体への負担を増大させるおそれがある。また、ランドセルを背負って登下校の際に走ったりすると、背負ベルトの外側及び内側が肩にフィットしていないとランドセルが上下左右に揺れやすく、該ランドセルが揺れると背負ベルトの表面板の内側角部分が学童の首の付け根部分の皮膚と擦れて傷を負うおそれがある。
【０００７】
本考案が解決しようとする課題は、ランドセルを背負ったとき、隙間Ｙができるのを防止し、肩の形状（なで肩、いかり肩）に関係なく肩当部の幅方向が肩部分と平行で均一に当接してフィットさせるようにすることによって、背負いやすくすることを目的とする。また、背負ベルトの表面に取付けた表面板の長手方向の内側角部分が、首の付け根部分と当たるのを防止して皮膚が擦れて傷つくのを防ぎ、軽やかにランドセルを背負うことができるようにするものである。
【課題を解決するための手段】
【０００８】
上記課題を解決するために、本考案は、幅広部２５、４５の下方に細幅に形成した長さ調節部２６を一体に形成したベルト芯材２４、４４の前記幅広部の幅方向両端に、クッション機能を有する端面パット部２７、４７；２８、４８を設け、前記幅広部２５、４５の下面にクッション機能を有する下面パット部３０，３０ａを設け、該下面パット部と該両端面パット部を柔軟性を有するカバー部材３１で下側から上面側に被覆し、該カバー部材の長手方向両端に設けた糊代部３２を前記ベルト芯材２４、４４の表面側に折り返して接着し、前記長さ調整部２６の裏面を可撓性を有する裏面板３３で被覆し、前記ベルト芯材２４と略同形に形成した皮革材からなる表面板３５を前記ベルト芯材２４、４４の上面に接着させてそれぞれ重合した表面板３５と糊代部３２とベルト芯材２４、４４と裏面板３３の周縁部分を縫糸３７で一体に縫着してなることを特徴とする。また、前記ベルト芯材２４に設けた幅広部２５の幅方向の一端（学童の首側）に小径で円柱状に形成した端面パット部２７を取付け、他端（学童の肩側）に大径で円柱状に形成した端面パット部２８を取付けてなることを特徴とする。さらに、前記ベルト芯材２４の幅広部２５の下面に、下面を円弧状に形成したスポンジ材からなるクッション機能を有する下面パット部３０を取付けてなることを特徴とする。さらに、前記ベルト芯材２４の幅広部２５の下面に、下面を円弧状に形成したスポンジ材からなる下面パット部３０を取付け、前記ベルト芯材の幅広部２５の上面に、上面を円弧状に形成したスポンジ材からなるクッション機能を有する上面パット部４０を取付けてなることを特徴とする。さらにまた、前記ベルト芯材４４に設けた幅広部４５の幅方向の一端（学童の首側）に小径で円柱状に形成した端面パット部４７を、また他端（学童の肩側）に大径で円柱状に形成した端面パット部４８を、それぞれ該ベルト芯材４４と同一素材で一体に設けてなることを特徴とする。また、前記ベルト芯材４４の幅広部４５の下面に、下面を円弧状に形成した下面パット部３０ａを該ベルト芯材と同一素材で一体に設けてなることを特徴とする。さらにまた、前記ベルト芯材４４の幅広部４５の上面に、上面を円弧状に形成した上面パット部４０ａを該ベルト芯材と同一素材で一体に設けてなることを特徴とする。
【０００９】
本考案は、ベルト芯材２４の幅広部２５の幅方向両端に、それぞれ学童の首側（内側）に小径な端面パット部２７、肩側（外側）に大径な端面パット部２８を設けることにより、ランドセル１０を背負ったとき、背負ベルト１３の肩側にできる隙間Ｙを解消して片当たりによる疲れを軽減することができる。また、ランドセル１０を背負って走ったりしたとき、背負ベルト１３の表面板３５の内側角部３６が学童の首の付け根部分と擦れて負傷するのを防ぎ、学童にとってやさしいランドセルを提供することができる。
【図面の簡単な説明】
【００１０】
【図１】本考案に係る背負ベルトを取付けたランドセルの正面図である。
【図２】背負ベルトの平面図である。
【図３】ベルト芯材の幅広部の両側端に端面パット部を取付けた平面図である。
【図４】図２のＡ−Ａ線拡大端面図である。
【図５】図２のＢ―Ｂ線拡大端面図である。
【図６】背負ベルトの幅広部のベルト芯材を示す要部分解斜視図である。
【図７】ベルト芯材の幅広部の第２実施例を示す要部拡大断面図である。
【図８】ベルト芯材の幅広部の両側端に端面パット部を一体に形成した断面図である。
【図９】ベルト芯材の幅広部の両側端に端面パット部及び下面に下面パット部を一体に形成した断面図である。
【図１０】ベルト芯材の幅広部の両側端と下面及び上面に端面パット部をそれぞれ一体に形成した断面図である。
【図１１】本考案の背負ベルトの使用状態を示す模式図である。
【図１２】肩に当たる背負ベルトの肩当部を示す要部拡大断面図である。
【図１３】従来の背負ベルトの使用状態を示す模式図である。
【考案を実施するための最良の形態】
【００１１】
本考案の実施の形態を図面に基づいて説明すると、図１は本考案に係る背負ベルトを取付けたランドセルの正面図、図２は背負ベルトの平面図、図３はベルト芯材に端面パット部を取付けた平面図、図４は図２のＡ−Ａ線拡大端面図、図５は図２のＢ−Ｂ線拡大端面図、図６は背負ベルトの幅広部のベルト芯材を示す要部分解斜視図である。
【００１２】
ランドセル１０は、背板１１の上部中央に取付けた背環１２に、一対の背負ベルト１３、１３を取付け、該背負ベルトは、ランドセル１０の底部両側に取付けた一対の下部ベルト１７、１７により長さ調節可能に連結してある。この背負ベルト１３、１３は、上方に幅広な肩当部１４を形成し、下方に細巾の長さ調整部１５を一体に形成して該長さ調整部５には適宜間隔毎に複数の止め穴１６を設けてある。
【００１３】
前記ランドセル１０の底部両側に取付けた一対の下部ベルト１７、１７は、それぞれ端部に設けた係止金具１８の爪片１９と、前記背負ベルト１３の長さ調整部１５に設けてあるいずれかの止め穴１６とを着脱可能に掛止してベルトの長さを調整できるようにしてある。
【００１４】
背負ベルト１３は、ベルト芯材２４と、該ベルト芯材の上方に幅広に形成した幅広部２５の幅方向両端に、該ベルト芯材と別体に設けて接着剤などで取付けた一対の端面パット部２７、２８と、該ベルト芯材２４の裏側に接着して取付けた下面パット部３０と、該下面パット部３０及び両端パット部２７、２８を被覆するカバー部材３１と、前記長さ調整部２６の裏面を被覆する裏面板３３と、前記ベルト芯材の表面全体に接着する表面板３５とにより構成されている。
【００１５】
前記ベルト芯材２４は、図３に示すごとく、発泡樹脂材により前記背負ベルト１３と相似形に形成し、上方に幅広に形成した幅広部２５を形成し、下方に細幅に形成した長さ調節部２６を一体に形成してある。
【００１６】
図３、４、６に示すごとく、前記ベルト芯材２４の幅広部２５の幅方向両端に、クッション機能を有する発泡樹脂材を断面円柱、角形、その他任意の断面形状をした柱状に形成した端面パット２７、２８を接着して取付け、内側（学童の首側）端面パット部２７の外径を小径に形成し、外側（肩側）端面パット部２８の外径を大径、即ち、前記端面パット部２７の外径より大径に形成してある。前記端面パット部２８の直径は、少なくとも端面パット部２７の倍程度の直径を有するように形成してあるが、必要に応じてそれより大径にすることも可能である。そして、幅広部２５の端部から外方にそれぞれ膨出させて取付けてある。
【００１７】
ベルト芯材２４の下面に設ける下面パット部３０は、図４、６に示すごとく、クッション機能を有した発泡樹脂材により下面をなだらかな円弧状に形成し、前記ベルト芯材２４の幅広部２５の下面に接着して取付けてある。したがって、幅広部２５は学童の肩にやさしくフィットすることができる。
【００１８】
図８に示す如く、第３の実施例であるベルト芯材４４の両端に、端面パット部４７、４８を、ベルト芯材４４と同一素材であってクッション機能を有する発泡樹脂材により該ベルト芯材４４の幅方向両端にそれぞれ一体に形成する。さらに、幅広部４５の下面に、図７に示すように、下面をなだらかな円弧状に形成したクッション機能を有する、例えばスポンジなどで下面パット部３０を接着して取付けてある。端面パット部４７、４８をベルト芯材４４と一体に形成したことにより、幅広部４５の両端に端面パット部４７，４８を接着する作業工程を省くことができるので効率的で、且つ、接着部分が剥がれるおそれがない利点を有している。
【００１９】
図９に示すように、第４の実施例であるベルト芯材４４の両端に端面パット部４７、４８を一体に有した幅広部４５の下面に、ベルト芯材４４と同一素材であってクッション機能を有する発泡樹脂材で形成した下面パット部３０ａを一体に形成してもよい。このように、ベルト芯材４４の両端及び下面に該ベルト芯材と同一素材でクッション機能を有する発泡樹脂材で、下面をなだらかな円弧状に形成した下面パット部３０ａを一体に形成することにより、幅広部４５の両端及び下面にそれぞれパット部を接着する作業工程を省略することができる。
【００２０】
図１０に示す如く、第５の実施例であるベルト芯材４４の幅広部４５の両端に端面パット部４７、４８を一体に有し、該幅広部の下面に同じく一体に下面パッド部３０ａを有した該ベルト芯材の上面に、ベルト芯材４４と同一素材でクッション機能を有する発泡樹脂材からなる上面パット部４０ａを一体に形成してもよい。このように、ベルト芯材４４の両端及び下面及び上面に、該ベルト芯材と同一素材であってクッション機能を有する発泡樹脂材で、上面をなだらかな円弧状に形成した上面パット部４０ａと下面パット部３０ａを一体に形成することにより、該ベルト芯材４４の幅広部４５の両端及び上下面にそれぞれパット部を接着する作業工程を省略することができ、このベルト芯材の製作を能率的の能率に行うことができ、各パット部の接着工程を省略できるため、部品組み立て効率を向上させることができる利点を有する。
【００２１】
ベルト芯材２４、４４の幅広部２５、４５に設けるパット部は、図８〜１０に示すように、前記端面パット部２７，２８及び４７，４８、さらに、下面パット部３０，３０ａのほかに、図７および図１０に示すごとく、幅広部２５、４５の表面側に、同じくクッション機能を有した発泡樹脂材により上面をなだらかな円弧状に形成した上面パット部４０，４０ａを設けてある。
【００２２】
ベルト芯材２４、４４の上下両面に、上面パット部４０，４０ａ及び下面パット部３０，３０ａを設けることにより、幅広部２５、４５の上下面のクッション機能を向上させると共に、表面板３５を上方に盛り上げて背負ベルト１３の肩当部１４にボリューム感を具えて高級感を持たせることができる。
【００２３】
カバー部材３１は、図４、６に示すごとく、柔軟な皮革材または合成皮革材により形成され、前記ベルト芯材２４、４４の幅広部２５，４５に取付けた下面パット部３０．３０ａと、両端面パット部２７、２８、及び、４７、４８を、前記パット部３０，３０ａの下面側からベルト芯材２４、４４の上面側まで覆って、両端の糊代部３２を折り返してベルト芯材２４、４４の表面に接着してある。
【００２４】
裏面板３３は、図５に示すごとく、前記ベルト芯材の２４、４４の長さ調整部２６と略同形で、可撓性を有する皮革材または合成皮革材で形成され、周縁を前記長さ調整部２６の裏面から表面側に折り返して接着することにより被覆してある。
【００２５】
表面板３５は、図２に示すごとく、前記ベルト芯材２４、４４と略同形に形成した皮革材または合成皮革材により形成してあり、前記ベルト芯材２４、４４の表面側に重ねて接着し、この表面板３５と、前記ベルト芯材２４と、カバー部材３１の糊代部３２と、長さ調整部２６の裏側に接着した裏面板３３とをそれぞれ重合させた周縁部分を縫糸３７で縫着して背負ベルト１３を形成してある。
【００２６】
以下、本考案の実施例の作用について説明すると、ランドセル１０に取付けた背負ベルト１３は２本で一組をなし、該背負ベルトの上端に背環１２に連結する連結金具（図示せず）を取付け、さらに、右側に位置する背負ベルトの肩当部は右側にカーブし、左側に位置する背負ベルトの肩当部は左側にカーブして、学童の首に近い部分に背負ベルト１３が当たるのを避けるように形成してある。
【００２７】
背負ベルト１３は、ベルト芯材２４の幅広部２５の幅方向両端に設けた端面パット部２７、２８を異径、即ち、背負ベルトの内側の端面パット部を小径に、外側をそれより大径にして円柱状に形成したことにより、図１１に示すごとく、背負ベルト１３が肩の形状に合わせて湾曲したときに肩の稜線の首側に小径の端面パット部２７が位置し、肩側に大径な端面パット部２８が位置することにより、肩にできる隙間Ｙを解消し、肩当部１４と肩Ｘとが肩の傾斜に沿って平行に位置させることができるので、肩Ｘと肩当部１４とを均一にフィットさせることができる。そのため、違和感なくランドセル１０を背負うことができるので、疲れにくい。
【００２８】
前記ベルト芯材２４の上面に接着した表面板３５は、図４に示すごとく、ベルト芯材２４の表面に接着した糊代部３２の先端との間に、糊代部の厚さ分の空間部３２ａが生じ、この空間部３２ａはクッション機能を呈し、表面板３５を表面側から押した場合、該表面板が下方に凹んで柔軟な感じが得られる効果を有している。前記のように、該空間部３２ａ内に上面パット部４０を装着させてもよいことはもちろんである。
【００２９】
この背負ベルト１３を構成する表面板３５は、図１２に示すごとく、表面板３５の長手方向に沿って位置する両端角部３６が、幅広部２５の両側に突出させた円柱状の端面パット部２７、２８の円弧部分の頂点より内側に位置して縫着されているため、両端角部３６が直接学童の首筋に当ることはない。即ち、背負ベルト１３の肩当部１４に設けた端面パット部２７を介して学童の首筋に接触する。この端面パット部２７は柔軟性を有するカバー部材３１で覆われているため肌との当たりが柔らかく皮膚を傷つけたりするおそれがない利点を有する。
【符号の説明】
【００３０】
１０      ランドセル
１３      背負ベルト
１４      肩当部
１５      長さ調整部
２４      ベルト芯材
２５      幅広部
２６      長さ調整部
２７      端面パット部
２８      端面パット部
３０      下面パット部
３０ａ    下面パット部
３１      カバー部材
３２      糊代部
３３      裏面板
３５      表面板
３７      縫糸
４０      上面パット部
４０ａ    上面パット部
４４      ベルト芯材
４５      幅広部
４７      端面パット部
４８      端面パット部
【図１】
0003160939.tif 000003
【図２】
0003160939.tif 000004
【図３】
0003160939.tif 000005
【図４】
0003160939.tif 000006
【図５】
0003160939.tif 000007
【図６】
0003160939.tif 000008
【図７】
0003160939.tif 000009
【図８】
0003160939.tif 000010
【図９】
0003160939.tif 000011
【図１０】
0003160939.tif 000012
【図１１】
0003160939.tif 000013
【図１２】
0003160939.tif 000014
【図１３】
0003160939.tif 000015
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
幅広部（２５、４５）の下方に細幅に形成した長さ調節部（２６）を一体に形成したベルト芯材（２４、４４）の前記幅広部の幅方向両端に、クッション機能を有する端面パット部（２７、４７）、（２８、４８）を設け、前記幅広部（２５、４５）の下面にクッション機能を有する下面パット部（３０，３０ａ）を設け、該下面パット部と両端面パット部（２７、４７）、（２８、４８）を柔軟性を有するカバー部材（３１）で下側から上面側に被覆し、該カバー部材の長手方向両端に設けた糊代部（３２）を前記ベルト芯材（２４、４４）の表面側に折り返して接着し、前記長さ調整部（２６）の裏面を可撓性を有する裏面板（３３）で被覆し、前記ベルト芯材（２４）と略同形に形成した皮革材からなる表面板（３５）を前記ベルト芯材（２４、４４）の上面に接着させてそれぞれ重合した表面板（３５）と糊代部（３２）とベルト芯材（２４、４４）と裏面板（３３）の周縁部分を縫糸（３７）で一体に縫着してなることを特徴とするランドセル用背負ベルト。
【請求項２】
前記ベルト芯材（２４）に設けた幅広部（２５）の幅方向の学童の首側一端に小径で円柱状に形成した端面パット部（２７）を取付け、学童の肩側他端に大径で円柱状に形成した端面パット部（２８）を取付けてなることを特徴とする請求項1記載のランドセル用背負ベルト。
【請求項３】
前記ベルト芯材（２４）の幅広部（２５）の下面に、下面を円弧状に形成したスポンジ材からなるクッション機能を有する下面パット部（３０）を取付けてなることを特徴とする請求項1記載のランドセル用背負ベルト。
【請求項４】
前記ベルト芯材（２４）の幅広部（２５）の下面に、下面を円弧状に形成したスポンジ材からなる下面パット部（３０）を取付け、前記ベルト芯材の幅広部（２５）の上面に、上面を円弧状に形成したスポンジ材からなるクッション機能を有する上面パット部（４０）を取付けてなることを特徴とする請求項1記載のランドセル用背負ベルト。
【請求項５】
前記ベルト芯材（４４）に設けた幅広部（４５）の幅方向の学童の首側一端に小径で円柱状に形成した端面パット部（４７）を、また学童の肩側他端に大径で円柱状に形成した端面パット部（４８）を、それぞれ該ベルト芯材（４４）と同一素材で一体に設けてなることを特徴とする請求項1記載のランドセル用背負ベルト。
【請求項６】
前記ベルト芯材（４４）の幅広部（４５）の下面に、下面を円弧状に形成した下面パット部（３０ａ）を該ベルト芯材と同一素材で一体に設けてなることを特徴とする請求項1記載のランドセル用背負ベルト。
【請求項７】
前記ベルト芯材（４４）の幅広部（４５）の上面に、上面を円弧状に形成した上面パット部（４０ａ）を該ベルト芯材と同一素材で一体に設けてなることを特徴とする請求項1記載のランドセル用背負ベルト。
【手続補正２】
【補正対象書類名】明細書
【補正対象項目名】０００８
【補正方法】変更
【補正の内容】
【０００８】
上記課題を解決するために、本考案は、幅広部２５、４５の下方に細幅に形成した長さ調節部２６を一体に形成したベルト芯材２４、４４の前記幅広部の幅方向両端に、クッション機能を有する端面パット部２７、４７；２８、４８を設け、前記幅広部２５、４５の下面にクッション機能を有する下面パット部３０，３０ａを設け、該下面パット部と該両端面パット部を柔軟性を有するカバー部材３１で下側から上面側に被覆し、該カバー部材の長手方向両端に設けた糊代部３２を前記ベルト芯材２４、４４の表面側に折り返して接着し、前記長さ調整部２６の裏面を可撓性を有する裏面板３３で被覆し、前記ベルト芯材２４と略同形に形成した皮革材からなる表面板３５を前記ベルト芯材２４、４４の上面に接着させてそれぞれ重合した表面板３５と糊代部３２とベルト芯材２４、４４と裏面板３３の周縁部分を縫糸３７で一体に縫着してなることを特徴とする。また、前記ベルト芯材２４に設けた幅広部２５の幅方向の学童の首側一端に小径で円柱状に形成した端面パット部２７を取付け、学童の肩側他端に大径で円柱状に形成した端面パット部２８を取付けてなることを特徴とする。さらに、前記ベルト芯材２４の幅広部２５の下面に、下面を円弧状に形成したスポンジ材からなるクッション機能を有する下面パット部３０を取付けてなることを特徴とする。さらに、前記ベルト芯材２４の幅広部２５の下面に、下面を円弧状に形成したスポンジ材からなる下面パット部３０を取付け、前記ベルト芯材の幅広部２５の上面に、上面を円弧状に形成したスポンジ材からなるクッション機能を有する上面パット部４０を取付けてなることを特徴とする。さらにまた、前記ベルト芯材４４に設けた幅広部４５の幅方向の学童の首側一端に小径で円柱状に形成した端面パット部４７を、また学童の肩側他端に大径で円柱状に形成した端面パット部４８を、それぞれ該ベルト芯材４４と同一素材で一体に設けてなることを特徴とする。また、前記ベルト芯材４４の幅広部４５の下面に、下面を円弧状に形成した下面パット部３０ａを該ベルト芯材と同一素材で一体に設けてなることを特徴とする。さらにまた、前記ベルト芯材４４の幅広部４５の上面に、上面を円弧状に形成した上面パット部４０ａを該ベルト芯材と同一素材で一体に設けてなることを特徴とする。